(57)【特許請求の範囲】
【請求項１】
所定の収容サイズの複数の枠部と、前記複数の枠部のうち少なくとも一部の枠部の開口を開閉可能に設けられた扉とを有する機能キャビネットと、
前記機能キャビネットの前記枠部に交換可能に収容され、機能単位の回路および部品を含む機能ユニットと、
前記機能キャビネットと隣り合うように配置され、前記枠部に収容された前記機能ユニットを監視および制御する監視制御機能を有するコントロールキャビネットとを備え、
前記機能ユニットは、
前記回路および部品の動作情報を収集し出力する収集部と、
前記機能ユニット内部の状態または前記機能ユニットの位置を報知するための報知部とを備え、
前記コントロールキャビネットは、
前記回路および部品を収容する機能ユニットのユニット番号と前記機能ユニットの機能を示す識別情報と前記回路および部品の動作状態を示すフラグとを対応付けて記憶する管理テーブルと、
前記収集部から出力された動作情報を基に、前記管理テーブルの該当回路および部品の動作状態のフラグを更新したときにフラグの変化が検出された前記回路および部品、および前記回路および部品を収容する機能ユニットを特定し、特定した前記機能ユニットの前記報知部に前記機能ユニットの位置または動作状態を報知させる制御部と
を具備する監視制御装置。
【請求項２】
前記コントロールキャビネットは、
キャビネット前面に情報表示用のタッチパネルを備え、
前記制御部は、
前記タッチパネルに入力された機能ユニットの解錠のための認証情報を基にユーザ認証を行った結果、前記機能ユニットへのアクセス権限を持つユーザであった場合、該当機能ユニットの前記扉を開放する請求項１に記載の監視制御装置。
【請求項３】
前記制御部は、
前記機能ユニット内部の状態として、異常またはアクセス許可をそれぞれ異なる形態で前記報知部に報知させる請求項１に記載の監視制御装置。
【請求項４】
前記機能ユニットは、
前記機能ユニットの内部を撮像するカメラを備え、
前記コントロールキャビネットは、
キャビネット前面に情報表示用のタッチパネルを備え、
前記制御部は、
前記タッチパネルに入力された認証情報を基にユーザ認証を行った結果、前記機能ユニットへのアクセス権限を持つユーザであった場合、該当機能ユニットの内部を撮像した前記カメラの映像を前記タッチパネルに表示する請求項１に記載の監視制御装置。
【請求項５】
前記コントロールキャビネットは、
前記回路および部品の識別情報と前記カメラの画像における前記回路および部品の位置と前記回路および部品に関連する関連情報とを対応付けて記憶する記憶部とを備え、
前記制御部は、
前記記憶部を参照し、前記カメラの画像に、状態が変化した前記回路および部品の位置を示す情報を付与して表示し、
前記タッチパネルに表示された前記部位がタッチ操作された場合、該当回路および部品に関連する関連情報を前記記憶部より読み出して前記タッチパネルに表示する請求項４に記載の監視制御装置。
【発明の詳細な説明】
【技術分野】
【０００１】
本発明は、監視制御装置に関する。
【背景技術】
【０００２】
例えば発電所などの電力プラントにはプラント内の各機器を監視および制御するための監視制御装置が設けられている。
【０００３】
従来の監視制御装置は、監視制御装置内部にそのとき必要な機能をランダムに組み込んで要求される機能を実現していた。また、各機器からの監視および制御用の配線や給電用の電力線などが集中することから、障害発生時などに作業員が現場に向かい監視制御装置の扉を開けて装置内のどこにどの配線が通っているかなどを確認し、不具合発生箇所を突き止め、処置を行うのに時間と労力を要していた。
【０００４】
また、監視制御装置は１枚または２枚程度の扉を開放することで、装置内に容易にアクセスできる反面、経験の少ない作業者が不用意に部品や回路に触れるとさらに不具合を拡大させる恐れがある。
【０００５】
さらに、監視制御装置に新たな機能を追加する場合、配線系を含めた全体的な変更が必要になり、ここでの作業ロスも発生する。
【０００６】
このように従来は、機能の更新や作業者の保守作業を考慮した構造ではなかった。さらに、扉を開放すると、全ての機能にアクセスできる反面、作業者が触れてはならない箇所にも不用意に触れる可能性があり、扉を開ける物理的な鍵以外ではセキュリティという面で管理できていなかった。
【０００７】
そこで、近年では、外形寸法を標準化した機能単位の複数のユニットを積み重ね、キャビネットで覆う組み立て構造が考案されている。
【先行技術文献】
【特許文献】
【０００８】
【特許文献１】特開平７−１５５６６３号公報
【発明の概要】
【発明が解決しようとする課題】
【０００９】
しかしながら、従来の構造の場合、積み重ねた中間のユニットの位置に新たな機能の追加または入り換えを行う場合、上段にある全てのユニットを取り外す必要があり、作業性に難がある。また個々のユニットに対するセキュリティは考慮されていない。
【００１０】
本発明はこのような課題を解決するためになされたもので、機能の復旧、保守、更新および拡張を行う際に、セキュリティを確保した上で、適切な作業者が所望の機能にアクセスし速やかに作業を行うことができる監視制御装置を提供することにある。
【課題を解決するための手段】
【００１１】
本発明の監視制御装置は、所定の収容サイズの複数の枠部と、複数の枠部のうち少なくとも一部の枠部の開口を開閉可能に設けられた扉とを有する機能キャビネットと、機能キャビネットの枠部に交換可能に収容され、機能単位の回路および部品を含む機能ユニットと、機能キャビネットと隣り合うように配置され、枠部に収容された機能ユニットを監視および制御する監視制御機能を有するコントロールキャビネットとを備える。機能ユニットは、回路および部品の動作情報を収集し出力する収集部と、機能ユニット内部の状態または機能ユニットの位置を報知するための報知部とを備える。コントロールキャビネットは、管理テーブル、制御部を有する。管理テーブルは回路および部品を収容する機能ユニットのユニット番号と機能ユニットの機能を示す識別情報と回路および部品の動作状態を示すフラグとを対応付けて記憶する。制御部は収集部から出力された動作情報を基に、管理テーブルの該当回路および部品の動作状態のフラグを更新したときにフラグの変化が検出された回路および部品、および回路および部品を収容する機能ユニットを特定し、特定した機能ユニットの報知部に機能ユニットの位置または動作状態を報知させる。
【図面の簡単な説明】
【００１２】
【図１】一つの実施の形態の監視制御装置の外観構成を示す図である。
【図２】監視制御装置の機能キャビネットの一列部分（３段）の内部構成を示す図である。
【図３】監視制御装置の制御系統の構成を示す図である。
【図４】監視制御装置のユニット管理テーブルの一例を示す図である。
【図５】監視制御装置の解錠履歴管理テーブルの一例を示す図である。
【図６】監視制御装置の電源関連の制御系統の構成を示す図である。
【図７】監視制御装置の動作を示すフローチャートである。
【図８】タッチパネルに表示したキューブ内部の監視画像の一例を示す図である。
【図９】故障したモジュールの説明図の表示例を示す図である。
【発明を実施するための形態】
【００１３】
以下、図面を参照して本発明の一つの実施の形態を詳細に説明する。図１は本発明の一つの実施の形態の監視制御装置の構成を示す図である。
【００１４】
図１に示すように、この実施の形態の監視制御装置は、縦・横にほぼ同じ寸法で仕切られ、一面、例えば前面が開口された複数の枠部としての収容部３を設けた筐体としての機能キャビネット４と、収容部３に交換可能（矢印Ａ方向に着脱自在）に収容された機能ユニットとしてのキューブ２と、機能キャビネット４に隣り合うように配置されたコントロールキャビネット１とを備える。収容部３の開口を設ける位置は前面以外に側面または上面でもよい。
【００１５】
コントロールキャビネット１は、内部にこの装置を制御するための回路および部品およびその他の用具などを収容する筐体である。図１の例は、３つ分（３段分）の収容部３の高さ（機能キャビネット４と同等の高さ）と、１つ分（１列）の収容部３の幅を有するものだがこれに限定されない。
【００１６】
機能キャビネット４は、外側の外壁と、内側の骨組みにより仕切られた複数の収容部３とを含むものである。図１の例では、収容部３を横２列、縦３段で構成した例であるが、これ以外にも例えば図２のように横１列、縦３段で構成したものも含む。キューブ２は、収容部３内に収容される内容物であり、機能毎に異なる。
【００１７】
収容部３は、機能キャビネット４の内部を骨組みにより仕切ることで形成した内側の枠（内側の空間）である。収容部３は、所定の収容サイズ（高さ６００ｍｍ、幅６００ｍｍ、奥行き６００ｍｍ）に設けられており、複数の収容部３のうち少なくとも一部の収容部３にキューブ２が収容される。
【００１８】
機能キャビネット４の各収容部３の前面開口には個々に開閉可能な扉６が設けられている。扉６には電子錠２７（図３参照）が設けられており、コントロールキャビネット１側からの制御によって施錠および解錠が可能である。扉６は電子錠２７によって解錠された場合、開放する仕組みになっている。電子錠２７は全ての扉６に設ける必要は無く、少なくとも一部の扉６に設ければよい。
【００１９】
扉６は他の収容部３のものと共用可能であり、表面のデザインを変えることも可能である。つまり扉６は表面の化粧板の部分が交換可能であり、化粧板としては例えばスケルトンパネル、ブラックパネル、パンチングパネルなどがあり、一部またはすべてを交換可能である。
【００２０】
例えば扉６を全てブラックパネルなどにした場合、外観的に均一感が図られる。この機能キャビネット４の内部を知らない人は外観からでは各扉６の内部が判らないため、セキュリティが確保される。
【００２１】
キューブ２には機能単位の回路および部品（以下「モジュール」と称す：図８の映像６１参照）が設けられている。キューブ２には機能キャビネット４の奥側に向けて電源接続用のプラグ５２（図６参照）が設けられている。
【００２２】
各キューブ２は、発変電設備、送配電設備等を監視および制御するための機能毎の回路および部品としてのモジュールを有する。一例として、機能キャビネット４の６つある収容部３のうち、例えば上段左の収容部３のキューブ２には、ある電力設備の主回路（Ａ系統）を制御するＣＰＵを含むＡ系制御モジュールが備えられている。
【００２３】
上段右の収容部３のキューブ２には、ある電力設備の副回路（Ｂ系統）を制御するＣＰＵを含むＢ系制御モジュールが備えられている。
【００２４】
中段左の収容部３のキューブ２には、Ａ系統のＣＰＵを含む回路部品に対して電源を供給するＡ系統電源モジュールが備えられている。中段右の収容部３のキューブ２には、Ｂ系統のＣＰＵを含む回路部品に対して電源を供給するＢ系統電源モジュールが備えられている。
【００２５】
下段左の収容部３のキューブ２には、Ａ系統用の外部ケーブル端子台のモジュールが備えられている。下段右の収容部３のキューブ２には、Ｂ系統用の外部ケーブル端子台のモジュールが備えられている。
【００２６】
また、外部ケーブル端子台は、発電所の廃止まで使用できる用品で構成されるか、更新時に外部ケーブルを個々に解線することなく、更新後の端子台に容易に付け替え可能な機能が備えられている。
【００２７】
この機能は部品を立体的にワンタッチで取り付けおよび取り外し可能な立体フレーム構造（ＤＩＮフレーム構造）であり、ＣＰＵ、Ｉ／Ｏ機能を集約しユニット化したものである。このためユニット毎に着脱可能である。この構造では、基部に設けたレールフレームによりユニットをスライドさせて手前に引き出すことができる。
【００２８】
このようなキューブ２の配置例は一例であり、さまざまに入れ替えが可能である。例えば電源系モジュールを上段に配置してもよい。この場合、重量あるものが高い位置に配置されることになるため、キューブ２の修理や交換の際に取り出し難くなることが想定される。そこで、高い位置のキューブ２には昇降機構を設けることも考えられる。昇降機構は例えば昇降式の吊戸棚機構とする。
【００２９】
図２に示すように、機能キャビネット４の各列には、奥部に各キューブ２への給電用のブスバー７１（以下「電源ＢＵＳ７１」と称す）とコンタクト板７２が設けられている。コンタクト板７２には、電源ＢＵＳ７１に接続された接続部としてのソケット５１が設けられている。コンタクト板７２は板状の部材であり、その表面にソケット５１が設けられている。
【００３０】
ソケット５１は各キューブ２毎またはモジュール毎に電源を供給するためにキューブ２側のプラグ５２（図６参照）と着脱自在に設けられている。なおコンタクト板７２を介さずに電源ＢＵＳ７１にソケット５１を直接接続してもよいが、キューブ２側のプラグ５２との位置合わせのためコンタクト板７２を設けておいた方がよい場合がある。
【００３１】
図３に示すように、各キューブ２は、例えばＣＰＵ２２、インターフェース２３（以下「ＩＦ２３」と称す）などによりそれぞれの機能を実現するモジュールの他、通信部２１、収集部としての盤内情報コントローラ２４と、盤内情報収集センサー２５、キューブ２内に設置されて内部のモジュールを撮像するカメラ２６、扉６に設けられた電子錠２７、扉６に設けられた報知部２８および電源部２９を備える。
【００３２】
電源部２９は、電源ＢＵＳ７１からの電力をキューブ２内の各部に適した電圧に変換して各部に供給する。ＩＦ２３は通信部２１とＣＰＵ２２間の通信インターフェースである。
【００３３】
盤内情報収集センサー２５は、キューブ２内の各回路および部品の位置に設けられており、例えば温度、湿度、振動、電圧などのセンサー類であり、回路および部品の動作状態または動作環境の情報（動作情報）を検知する。
【００３４】
盤内情報コントローラ２４は、盤内情報収集センサー２５により検知された回路および部品の動作情報を収集し、収集した動作情報を、通信部１２を通じてコントロールキャビネット１の情報管理コントローラ１５へ出力する。
【００３５】
盤内情報コントローラ２４は、キューブ２の中にある盤内情報収集センサー２５、カメラ２６、電子錠２７などが収集したデータをコントロールし情報管理コントローラ１５とやりとりする。これに対して情報管理コントローラ１５は、複数のキューブ２の盤内情報を一元管理するコントローラである。電子錠２７は、情報管理コントローラ１５からの制御により扉６を施錠および解錠する。
【００３６】
報知部２８は、キューブ２内部の状態またはキューブ２の位置を報知するためものである。報知部２８は、例えば報知する内容に応じて色が変えられる表示デバイス（扉６の表の面に透過する照明装置やＬＥＤなど）であり、キューブ２内部の状態（異常、アクセス許可など）を、表示色を変えるなどしてそれぞれ異なる形態で外部へ報知するためのものである。
【００３７】
一方、コントロールキャビネット１は、各キューブ２の状態監視用の筐体であり、高さ１８００、幅６００、奥行き６００の直方体形状のものであり、機能キャビネット４と同じ高さと奥行とされており、機能キャビネット４と隣接させると一体的な外観形状（高さと幅が同じ寸法）となる。
【００３８】
コントロールキャビネット１は、収容部３に収容したキューブ２を監視および制御する監視制御機能を備えるものであり、キャビネット表面にグラフィック・ユーザ・インターフェース（ＧＵＩ）の画面としてのタッチパネル１１が設けられている。この他、コントロールキャビネット１の内部には、通信部１２、記憶部１３、データ保存部１４、情報管理コントローラ１５が設けられている。
【００３９】
コントロールキャビネット１は、３個分のキューブ２の高さがあるため、内部下段に点検工具の他、ヘルメットなどの避難グッズを収容したツールボックスが収容されている。ツールボックスのサイズもキューブ２と同様のサイズである。
【００４０】
また、コントロールキャビネット１内には照明装置が備え付けられている。照明装置は、非常時に外部へ持ち出し可能なバッテリー駆動のものである。
【００４１】
通信部１２は、各キューブ２と通信線を介して接続されており、互いの間で通信する。データ保存部１４には、通信部１２を通じて各キューブ２とやり取りされるデータが記憶される。データ保存部１４は、情報管理コントローラ１５が処理を行う際の作業領域として利用される。
【００４２】
記憶部１３は、情報を読み出しおよび書き込み可能なランダムアクセスメモリであり、以下に示すテーブルやモジュールの画像、位置、説明図などの情報を記憶している。
【００４３】
すなわち記憶部１３には、各キューブ２（機能ユニット）を管理するためのキューブ管理テーブル１３ａと、扉６の解錠履歴を管理するための解錠履歴管理テーブル１３ｂが記憶されている。なお、記憶部１３はデータ保存部１４と共用することも可能である。
【００４４】
また、記憶部１３は、各キューブ２（機能ユニット）内の回路および部品などのモジュールを識別する情報であるモジュールＩＤと、キューブ２内に設置されたカメラ２６の画像６１（図８参照）におけるモジュールの位置とを対応付けて記憶している。なお、画像６１はカメラ２６の画像以外にも、事前に別なカメラで撮影された画像や、用品配置のイメージ図を使用することも可能である。
【００４５】
さらに、記憶部１３には、モジュール（回路および部品）に関連する説明図のデータなどの関連情報が保存されている。つまり記憶部１３はモジュールの識別情報（モジュールＩＤ）とカメラ２６の画像におけるモジュールの位置とモジュールに関連する関連情報とを対応付けて記憶する記憶機能を有する。
【００４６】
図４に示すように、キューブ管理テーブル１３ａは、回路および部品などのモジュールを収容するキューブ２を特定するためのキューブ番号とこのキューブ２の機能を識別する情報としての機能ＩＤと、キューブ２にアクセス可能なユーザの認証情報と、モジュールの状態を示すフラグとを対応付けて記憶する管理テーブルである。
【００４７】
すなわちこのキューブ管理テーブル１３ａは、各キューブ２の機能を示す識別情報である機能ＩＤとモジュールを収容するキューブ番号（ユニット番号）とモジュール単位の動作状態を示すフラグとを対応付けて記憶する管理テーブルである。
【００４８】
キューブ番号は例えば００１、００２、００３…などである。機能ＩＤはＣＰＵ１、ＣＰＵ２、電源部１…などであり、各キューブ２の機能を示す。認証情報はユーザＩＤとパスワードの対（組み）で構成されている。
【００４９】
キューブ番号００１にアクセス可能な認証情報は例えばユーザ１、ユーザ２などである。キューブ番号００３にアクセス可能な認証情報は例えばユーザ３、ユーザ４などである。例えばフラグの「１」は正常動作を示すし、フラグの「２」は故障を示し、フラグの「０」はアクセス許可を示す。
【００５０】
図５に示すように、解錠履歴管理テーブル１３ｂは、登録したレコードの番号順に、日時、認証情報のうちのユーザＩＤ、内容が対応して記憶される。内容としては、例えば「ドア１解錠」、「ドア１オープン」、「ドア１クローズ」など、どの扉６がどういった状態になったかが記憶される。
【００５１】
情報管理コントローラ１５は、盤内情報コントローラ２４から入力された盤内情報を基に、キューブ管理テーブル１３ａの該当モジュールのフラグを更新する。また情報管理コントローラ１５は、フラグを更新したときに、フラグの値に変化が発生したことを検出した場合、例えば異常が検出されたモジュールとこのモジュールを収容するキューブ２を特定する。キューブ２と扉６の報知部２８との対応情報は予め設定されているものとする。
【００５２】
そして、情報管理コントローラ１５は特定したキューブ２の報知部２８に対して異常を示す報知制御信号を出力し、扉６の報知部２８を動作（異常の場合は赤色ＬＥＤを点灯させるなど）させることでキューブ２の内部の異常を報知させる。
【００５３】
また、情報管理コントローラ１５は、例えばユーザ認証によりアクセス許可したキューブ２を特定し、特定したキューブ２の報知部２８に対してアクセス許可の報知制御信号を出力し、報知部２８を動作させる（アクセス許可の場合は緑色のＬＥＤを点灯させる）ことで、作業者がアクセス可能なキューブ２を視認させる。
【００５４】
すなわち、情報管理コントローラ１５は、電子錠２７を解錠したキューブ２の扉６に設けた報知部２８に、キューブ２の内部の状態として、異常またはアクセス許可をそれぞれ異なる形態で報知させる機能を有する。
【００５５】
この他、情報管理コントローラ１５は、タッチパネル１１に入力されたキューブ２の扉６の解錠のための認証情報を基にユーザ認証を行った結果、キューブ２へのアクセス権限を持つユーザであった場合、該当キューブ２の扉６の電子錠２７を解錠し扉６を開放する。
【００５６】
情報管理コントローラ１５は、タッチパネル１１に入力された認証情報を基にユーザ認証を行った結果、キューブ２へのアクセス権限を持つユーザ（作業者）であった場合、該当キューブ２の内部を撮像したカメラ２６の映像および／または、事前に別なカメラで撮影された画像や、用品配置のイメージ図をタッチパネル１１に表示する。
【００５７】
情報管理コントローラ１５は、記憶部１３を参照し、特定したモジュールに対応するカメラ２６の画像中のモジュールの位置に異常部位（状態が変化した部位）を示す情報（図８に示す枠線６３）を付与して表示し、タッチパネル１１に表示された異常部位がタッチ操作された場合、該当モジュールに関連する説明図などの関連情報を記憶部１３より読み出してタッチパネル１１に表示する。
【００５８】
図６に示すように、この監視制御装置の機能キャビネット４には電源回路４３が設けられている。この電源回路４３はコントロールキャビネット１内の情報管理コントローラ１５により監視されて、バッテリー４１または外部電源４２（商用電源や直流電源など）から供給される電圧を、電源装置４４を介して所定電圧に変換し電源回路４３で突合せを行った後、電源ＢＵＳ７１を通じて各キューブ２に供給する。
【００５９】
電源ＢＵＳ７１と各キューブ２との間はソケット５１とプラグ５２で挿脱自在に接続される。機能キャビネット４において、あるキューブ２が収容部３から引き出されて、キューブ２のプラグ５２がソケット５１から外れると、この着脱が盤内情報収集センサー２５により検知されて、着脱情報がキューブ２から情報管理コントローラ１５へ出力される。着脱情報には接続か取り外しかの他にプラグ５２が外れたキューブ２内のモジュールの識別情報（モジュールＩＤ）が含まれる。
【００６０】
以下、図７のフローチャート、図８および図９を参照してこの実施の形態の監視制御装置の動作を説明する。  
この実施の形態の監視制御装置の場合、あるキューブ２内のモジュールに異常が発生し、盤内情報収集センサー２５により検知されると、盤内情報コントローラ２４は、盤内情報収集センサー２５により検知されたモジュールの動作情報を収集し、収集した動作情報を、通信部１２を通じてコントロールキャビネット１の情報管理コントローラ１５へ出力する。
【００６１】
情報管理コントローラ１５は、受信された動作情報によりキューブ管理テーブル１３ａの該当モジュールのフラグを更新し、更新したフラグの状態から各モジュールの動作状態をチェックする。
【００６２】
このチェックの結果、例えば図４のキューブ管理テーブル１３ａのように、モジュール＃２のフラグが「２」となった場合、情報管理コントローラ１５は、キューブ２のモジュール＃２の異常を検知し（図７のステップＳ１０１のＹｅｓ）、キューブ管理テーブル１３ａのキューブ番号からキューブ２を特定する（ステップＳ１０２）。
【００６３】
情報管理コントローラ１５は、特定したキューブ２の異常を報知するために、例えば警報装置などから警報音などを鳴らし（発報し）（ステップＳ１０３）、異常を作業者に通知する。このとき、異常をキューブ２の報知部２８に表示してもよい。
【００６４】
警報を聞いた作業者がコントロールキャビネット１の位置に到着し、タッチパネル１１にタッチすると、情報管理コントローラ１５は、異常が検知されたキューブ２内に設けられているカメラ２６の映像６１（図８参照）または、事前に別なカメラで撮影された画像や、用品配置のイメージ図をタッチパネル１１の画面に表示する（ステップＳ１０４）。
【００６５】
この際、情報管理コントローラ１５は、記憶部１３を参照し、特定したモジュールに対応するカメラ２６の画像６１または、事前に別なカメラで撮影された画像や、用品配置のイメージ図の中の故障したモジュールの位置に異常部位を示す情報を付与する。
【００６６】
これにより、図８に示すように、タッチパネル１１の画面には、異常が検知されたキューブ２内の映像６１と共に、映像６１に重ねるように、異常発生箇所のガイド表示６２と、異常が検知されたモジュールの位置を示す枠線６３などが表示される。ガイド表示６２は、例えばモジュールの状態の説明などである。
【００６７】
ここで、タッチパネル１１の画面において、異常部位の枠線６３がタッチ操作された場合、情報管理コントローラ１５は、図９に示すように、異常部位の該当モジュールに関連する説明図６５を記憶部１３より読み出してタッチパネル１１に表示する。これにより、作業者は、異常が発生しているモジュールの機能や構造、交換手順などをその場ですぐに理解することができ、交換作業をすぐに実行することが可能である。
【００６８】
タッチパネル１１の映像６１の横には解錠ボタン６４が設けられている。作業者がモジュールの修理または復旧を行うために、この解錠ボタン６４をタッチ操作すると、情報管理コントローラ１５は、この操作を解錠指示として（ステップＳ１０５のＹｅｓ）、タッチパネル１１に作業者の認証情報入力画面（図示せず）を表示する（ステップＳ１０６）。
【００６９】
タッチパネル１１に表示された認証情報入力画面に対して認証情報（ユーザＩＤとパスワード）が入力されると（ステップＳ１０７のＹｅｓ）、情報管理コントローラ１５は、キューブ管理テーブル１３ａを参照して、入力された認証情報とキューブ管理テーブル１３ａに予め登録されている認証情報とを照合し、ユーザ認証を行う（ステップＳ１０８）。
【００７０】
ユーザ認証を行った結果、該当キューブ２へのアクセス権限を持つユーザであった場合（ステップＳ１０９のＹｅｓ）、情報管理コントローラ１５は、該当キューブ２の扉６の電子錠２７を制御して解錠させると共に該当キューブ２の扉６の報知部２８から扉の解錠を報知させる（ステップＳ１１０）。
【００７１】
つまりタッチパネル１１に入力された認証情報を基にユーザ認証を行った結果、キューブ２へのアクセス権限を持つユーザであった場合、該当キューブ２の扉６の電子錠２７を解錠すると共に、異常キューブ２の扉６に、扉６の解錠を示す解錠表示を行う。
【００７２】
なお異常時以外にも、例えばユーザ認証後、作業者によるキューブ２へのアクセスの指示操作が行われた場合、情報管理コントローラ１５は、該当キューブ２の扉６に設けた報知部２８にアクセス許可の報知制御信号を送り、該当キューブ２の扉６の報知部２８からアクセス許可の旨を報知させる。これにより、作業者は、所望の機能にアクセスする上でどの扉６を開ければよいかを容易に見つけることができる。
【００７３】
解錠後、情報管理コントローラ１５は、盤内情報コントローラ２４から入力される電子錠２７の解錠・施錠情報と扉６の開閉情報に基づいて解錠履歴管理テーブル１３ｂに解錠履歴のレコード順次記録（記憶）する（ステップＳ１１１）。
【００７４】
解錠履歴管理テーブル１３ｂの内容、つまり解錠履歴が記録されたログは、タッチパネル１１に対するユーザ認証後の、アクセス権限を持つ人からの閲覧操作により閲覧することができる。
【００７５】
そして、異常が検知されたモジュールが正常に動作すると、盤内情報コントローラ２４からの動作情報により、情報管理コントローラ１５は、異常復旧と判定し（ステップＳ１１２のＹｅｓ）、異常警報の発報を停止する（ステップＳ１１３）。
【００７６】
なお、このような動作の例は一例であり、各ステップを入れ替え、また新たなステップを追加したり、一部のステップを削除することで、動作の手順をさまざまに変えることも可能である。
【００７７】
このようにこの実施の形態の監視制御装置によれば、主に監視・制御を行うコントロールキャビネット１と機能毎の複数のキューブ２を収容した機能キャビネット４とで構成し、各キューブ２内の盤内情報コントローラ２４から収集される各キューブ２のモジュールの動作情報をコントロールキャビネット１の情報管理コントローラ１５が受け取り、その動作情報を基に各モジュールの動作状態を随時管理し、あるモジュールの異常を検知した場合、そのモジュールを収容するキューブ２を特定し、異常警報を出し、タッチパネル１１にてユーザ認証を行った後、特定したキューブ２の扉６を解錠するとともに、扉６に設けた報知部２８にキューブ２の状態を報知させるので、機能の復旧、保守、更新および拡張を行う際に、セキュリティを確保した上で、適切な作業者が対象の機能にアクセスし速やかに作業を行うことができる。
【００７８】
本発明の実施の形態を説明したが、この実施の形態は、例として示したものであり、この他の様々な形態で実施が可能であり、発明の要旨を逸脱しない範囲で、構成要素の省略、置き換え、変更を行うことができる。
【００７９】
また上記の実施の形態に示した監視制御装置のタッチパネル１１を、コントロールキャビネット１から着脱自在に設けておき、タッチパネル１１と情報管理コントローラ１５間を無線または有線で接続することで、作業者がタッチパネル１１を携帯したまま作業を行いことができ、復旧作業をよりスムーズに進めることができる。
【００８０】
また監視制御装置の各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００８１】
１…コントロールキャビネット、２…キューブ、３…収容部、４…機能キャビネット、６…扉、１１…タッチパネル、１２…通信部、１３…記憶部、１３ａ…キューブ管理テーブル、１３ｂ…解錠履歴管理テーブル、１４…データ保存部、１５…情報管理コントローラ、２１…通信部、２３…インターフェース（ＩＦ）、２４…盤内情報コントローラ、２５…盤内情報収集センサー、２６…カメラ、２７…電子錠、２８…報知部、２９…電源部、４１…バッテリー、４２…商用電源、４３…電源回路、４４…電源装置、５１…ソケット、５２…プラグ、７１…ブスバー、７２…コンタクト板。
【図１】
0006716320.tif 000002
【図２】
0006716320.tif 000003
【図３】
0006716320.tif 000004
【図４】
0006716320.tif 000005
【図５】
0006716320.tif 000006
【図６】
0006716320.tif 000007
【図７】
0006716320.tif 000008
【図８】
0006716320.tif 000009
【図９】
0006716320.tif 000010